(57)【要約】【課題】横架材の側端部と他の部材の側端部とを当接または近接させて、横架材に他の部材を連結することができる部材の連結構造を提供する。【解決手段】脚フレーム２と袖３との間に架け渡される長尺の横架材４と、一対の脚フレームＸ２間に架け渡される長尺の第２横架材Ｘ４とを連結部材Ｒを介して長手方向に連結する際に適用される横架材の連結構造であって、各横架材４、Ｘ４が、横架材４、Ｘ４の両側端部４ｄ、Ｘ４ｄと、脚フレーム２、Ｘ２の外側端部２ｄ、Ｘ２とを略一致させるようにして脚フレーム２と袖３との間、脚フレームＸ２間に架け渡されたものであり、横架材４の側端部４ｄと横架材Ｘ４の側端部Ｘ４ｄとを当接または近接させた状態で、連結部材Ｒを介して横架材４と横架材Ｘ４とを連結するようにした。【選択図】図９
2004324671.tif 000002
【特許請求の範囲】
【請求項１】
一対の脚構造体間に架け渡される長尺の横架材に、他の部材に略水平姿勢で設けられたビームを、連結部材を介して前記横架材の長手方向に連結する際に適用される部材の連結構造であって、
前記横架材が、横架材の両側端部と各脚構造体の外側端部とを略一致させるようにして脚構造体間に架け渡されたものであり、
前記横架材の側端部とビームの側端部とを当接または近接させた状態で、前記連結部材を介して横架材とビームとを連結することを特徴とする部材の連結構造。
【請求項２】
前記横架材たる第１横架材と、他の一対の脚構造体間に架け渡される長尺の前記ビームたる第２横架材とを長手方向に連結する際に適用される部材の連結構造であって、
前記各横架材が、横架材の両側端部と各脚構造体の外側端部とを略一致させるようにして脚構造体間に架け渡されたものであり、
第１横架材の側端部と第２横架材の側端部とを当接または近接させた状態で、前記連結部材を介して第１横架材と第２横架材とを連結することを特徴とする請求項１記載の部材の連結構造。
【請求項３】
前記第１横架材と前記第２横架材とを連結した状態において、当接または近接する前記脚構造体の取付位置を横架材の長手方向に沿った所望の取付位置に変更可能又は前記脚構造体を取外し可能に構成している請求項２記載の部材の連結構造。
【請求項４】
前記各横架材の側端部に、それぞれ前記連結部材を収容し得る収容空間を設けるとともに、前記第１横架材の側端部と前記第２横架材の側端部との間を跨ぐようにして前記収容空間に前記連結部材を配置し、当該連結部材を各横架材に抜脱不能に固定する固定手段を利用して第１横架材と第２横架材とを連結する請求項２又は３記載の部材の連結構造。
【請求項５】
前記各横架材が、一対の起立壁を有し、起立壁間に前記収容空間を形成したものであり、前記固定手段が、前記起立壁間に架け渡した小架材と前記連結部材とを係合させることにより前記連結部材を各横架材に抜脱不能に固定するものである請求項４記載の部材の連結構造。
【請求項６】
前記各起立壁に、前記架材が係合可能な係合部を設けるとともに、前記連結部材に、前記係合部に対応する係合部を形成し、前記固定手段が、各係合部に前記小架材を係合させることにより前記連結部材を各横架材に抜脱不能に固定するものである請求項５記載の部材の連結構造。
【請求項７】
前記各横架材が、一対の起立壁の間に起立壁と同一方向に起立する中間壁を設け、この中間壁と起立壁との間にそれぞれ前記収容空間を形成したものであり、前記固定手段が、当該中間壁を貫通して起立壁間に架け渡した前記小架材と前記連結部材とを係合させることにより前記連結部材を各横架材に抜脱不能に固定するものである請求項４、５又は６記載の部材の連結構造。
【請求項８】
前記中間壁に、前記各係合部に対応する係合部を形成している請求項７記載の部材の連結構造。
【請求項９】
前記横架材及び前記ビームが、一枚の鋼板を塑性変形加工したものである請求項１、２、３、４、５、６、７又は８記載の横架材の連結構造。
【請求項１０】
前記横架材及び前記ビームが、デスクやサイドテーブル等の天板付き家具の一部を構成するものである請求項１、２、３、４、５、６、７、８又は９記載の部材の連結構造。
【請求項１１】
一対の脚構造体間に架け渡される長尺の横架材の長手方向に、オプション部材を取り付ける際に適用される部材の連結構造であって、
前記横架材が、横架材の両側端部と各脚構造体の外側端部とを略一致させるようにして脚構造体間に架け渡されたものであり、
前記横架材の側端部に開口を形成し、この開口を利用して前記オプション部材を取り付けることを特徴とする部材の取付構造。
【発明の詳細な説明】
【０００１】
【発明の属する技術分野】
本発明は、横架材に、他の部材を連結部材を介して連結する部材の連結構造、及び、横架材に、オプション部材を取り付ける部材の取付構造に関するものである。
【０００２】
【従来の技術】
従来、例えば天板付き家具等の家具において、天板を支持する一対の支持部材と、支持部材間に架け渡され天板を支持する横架材は、その両端部を、支持部材の内側面に設けた突出部に挿入し、ねじ止めすることにより取付けられている。（例えば特許文献１参照）。また、したがって、このような横架材の両端部に、他の部材を連結したり、あるいはオプション部材を取り付ける態様は採用されていない。なお、一の天板付き家具（例えばデスク）と、他の天板付き家具（例えばサイドテーブル）とを連結する構成としては、各天板の一側端部同士を突き合わせた状態で、各天板の下面を跨ぐように一の連結部材を配置し、この連結部材を天板の下面にねじ止めすることにより、天板付き家具同士を連結するようにしたものが知られている（例えば特許文献２参照）。
【０００３】
【特許文献１】
特開２０００−３３３７３８号公報（第６〜８頁、第４図）
【特許文献２】
特開平５−３２９０２５号公報（第３〜４頁、第１図、第１０図）
【０００４】
【発明が解決しようとする課題】
ところが、前記特許文献２記載の連結構造は、各天板付き家具の天板同士を連結部材を介して連結したものであるため、連結した部位に荷重が掛かった場合には、連結部材にのみ荷重がかかり、有効な支持強度を得られ難いものである。また、天板の下面側に連結部材を取り付ける作業は、天板下方の下肢空間での作業となるためスペースが限定され作業性を損なうものである。また、前記特許文献１記載のものは、横架材の両端部に、他の部材を連結したり、オプション部材を取り付けることは困難であり、使用態様に柔軟に態様することができないという不具合が生じる。
【０００５】
本発明は、このような課題に着目してなされたものであって、主たる目的は、横架材の側端部と他の部材に設けたビームの側端部とを当接または近接させて、横架材にビームを連結することができる部材の連結構造を提供することにある。
【０００６】
【課題を解決するための手段】
すなわち、本発明の部材の取付構造は、一対の脚構造体間に架け渡される長尺の横架材に、他の部材に略水平姿勢で設けられたビームを、連結部材を介して前記横架材の長手方向に連結する際に適用される部材の連結構造であって、前記横架材が、横架材の両側端部と各脚構造体の外側端部とを略一致させるようにして脚構造体間に架け渡されたものであり、前記横架材の側端部とビームの側端部とを当接または近接させた状態で、前記連結部材を介して横架材とビームとを連結することを特徴とする。
【０００７】
このようなものであれば、横架材の側端部が脚構造体の外側端部に位置するように設定されているため、横架材の側端部とビームの側端部とを当接または近接させた状態で連結することができ、連結作業を比較的容易に行うことが可能となり、良好な連結状態を実現することができる。
【０００８】
また、前記横架材たる第１横架材と、他の一対の脚構造体間に架け渡される長尺の前記ビームたる第２横架材とを長手方向に連結する際に適用される部材の連結構造であって、前記各横架材が、横架材の両側端部と各脚構造体の外側端部とを略一致させるようにして脚構造体間に架け渡されたものであり、第１横架材の側端部と第２横架材の側端部とを当接または近接させた状態で、前記連結部材を介して第１横架材と第２横架材とを連結するようにすれば、各横架材の側端部が脚構造体の外側端部に位置するように設定されているため、第１横架材の側端部と第２横架材の側端部とを当接または近接させた状態で横架材同士を連結することができ、連結作業を比較的容易に行うことが可能となり、良好な連結状態を実現することができる。加えて、各横架材が脚構造体間に架け渡されたものであるため、連結した領域に受けた荷重を横架材及び脚構造体が協働して受けることができ、連結した部位の支持強度をも有効に高めることができる。
【０００９】
下肢空間を使用態様に合わせて有効活用できるようにするためには、前記第１横架材と前記第２横架材とを連結した状態において、当接または近接する前記脚構造体の取付位置を横架材の長手方向に沿った所望の取付位置に変更可能又は前記脚構造体を取外し可能に構成すればよい。
【００１０】
具体的な実施態様としては、前記各横架材の側端部に、それぞれ前記連結部材を収容し得る収容空間を設けるとともに、前記第１横架材の側端部と前記第２横架材の側端部との間を跨ぐようにして前記収容空間に前記連結部材を配置し、この連結部材を各横架材に抜脱不能に固定する固定手段を利用して第１横架材と第２横架材とを連結するものが挙げられる。
【００１１】
特に、前記各横架材が、一対の起立壁を有し、起立壁間に前記収容空間を形成したものであり、前記固定手段が、前記起立壁間に架け渡した小架材と前記連結部材とを係合させることにより前記連結部材を各横架材に抜脱不能に固定するものであることが好ましい。
【００１２】
より具体的には、前記各起立壁に、前記架材が係合可能な係合部を設けるとともに、前記連結部材に、前記係合部に対応する係合部を形成し、前記固定手段が、各係合部に前記小架材を係合させることにより前記連結部材を各横架材に抜脱不能に固定するものが挙げられる。
【００１３】
また、前記各横架材が、一対の起立壁の間に起立壁と同一方向に起立する中間壁を設け、この中間壁と起立壁との間にそれぞれ前記収容空間を形成したものであり、前記固定手段が、当該中間壁を貫通して起立壁間に架け渡した前記小架材と前記連結部材とを係合させることにより前記連結部材を各横架材に抜脱不能に固定するものであってもよい。この場合、中間壁に、前記各係合部に対応する係合部を形成していることが望ましい。
【００１４】
加えて、前記横架材及び前記ビームが、一枚の鋼板を塑性変形加工したものであれば加工コストを抑えることができる。
【００１５】
また、前記横架材及び前記ビームが、デスクやサイドテーブル等の天板付き家具の一部を構成するものであることが好ましい。
【００１６】
また、本発明に係る部材の取付構造は、一対の脚構造体間に架け渡される長尺の横架材の長手方向に、オプション部材を取り付ける際に適用される部材の連結構造であって、前記横架材が、横架材の両側端部と各脚構造体の外側端部とを略一致させるようにして脚構造体間に架け渡されたものであり、前記横架材の側端部に開口を形成し、この開口を利用して前記オプション部材を取り付けることを特徴とする。
【００１７】
このようなものであれば、横架材の開口を利用して簡単にオプション部材を取り付けることができる。ここで。「開口を利用して前記オプション部材を取り付ける」とは、横架材の開口にオプション部材の一部を挿入するようにしてオプション部材を取り付ける態様や、開口の端面とオプション部材の端面とをあてがうようにし適宜の固定手段を用いてオプション部材を取り付ける態様等が種々の態様が含まれる概念である。
【００１８】
【発明の実施の形態】
以下、本発明の一実施形態を、図面を参照して説明する。
【００１９】
本発明に係る横架材の連結構造は、例えば図１等に示す天板付き家具であるデスクＴの一部を構成する横架材４と、図７等に示す天板付き家具であるサイドテーブルＳＴの一部を構成する横架材Ｘ４とを連結する際に適用されるものである。
【００２０】
デスクＴは、図１に示すように、主として、天板１と、天板１を支持する脚構造体たる脚フレーム２及び袖３と、脚フレーム２と袖３との間に架け渡され前記天板１を支持する本発明の第１横架材たる横架材４とを具備するものであり、使用態様に応じて種々のオプション部材を取付可能に構成したものである。なお、以下の説明において、「正面視」とは同図におけるＸ方向の視点であり、「平面視」とは同図におけるＹ方向の視点であり、「側面視」とは同図におけるＺ方向の視点である。
【００２１】
天板１は、図１又は図２に示すように、木材やスチール等の一般的な天板に適用される素材によって形成された所定の厚みを有する平面視略矩形状の天板本体１１と、天板本体１１の下面部１１ａにおいて長手方向に沿う方向に設けた一対のブラケット１２とを備えたものである。ブラケット１２は、例えば一枚の板金素材を側面視略下向きＬ字形状に折り曲げ成形したものであり、天板本体１１の下面部１１ａに対して略平行をなす水平片と、水平片に対して略直角に垂下する垂下片とを一体に有する。この垂下片には、後述する横架材４の起立壁４１及び中間壁４３と同様に、複数の係合孔１２ａを長手方向に沿って形成してある（図２参照）。このような構成を有するブラケット１２を適宜の固定手段を用いて天板本体１１の下面部１１ａに固定している。また、天板本体１１の下面部１１ａであって、かつブラケット１２の取付位置近傍箇所に、後述するねじ部材Ｂがねじ合わせ可能なねじ孔（図示省略）を下方に開口するように複数設けている。
【００２２】
脚フレーム２は、図１〜図４等に示すように、一対の脚支柱２１と、脚支柱２１の上端部間に架け渡す連結材２２と、脚支柱２１と連結材２２とをコーナー連結する一対のコーナー部材２３とを備えた側面視略Ｈ字形状をなすものである。脚支柱２１及び連結材２２は、例えばアルミ素材の押し出し成形等により製造される中空部材であり、長手方向の任意の部位で同一の断面形状を有するものである。コーナー部材２３は、例えば中実をなす側面視略横向きＴ字状のものであり、下端部に脚支柱２１を適宜の固定手段により取り付けるとともに、水平方向に突出する突出部２３１に連結材２２を適宜の固定手段により取り付けている。突出部２３１の上面部２３１ａには、後述するねじ部材Ｂとねじ合わせ可能なねじ孔２３１ｂを上方に開口するように設けている。また、連結材２２を挟んで対峙し後述する横架材４の一の起立壁４１が当接または近接し得る各コーナー部材２３の対向面２３２には、一部を窪ませてなる凹部２３２ａを形成している。各脚支柱２１の下端部には高さ調節可能なアジャスタ２１ａを設けている。
【００２３】
袖３は、図１〜図３に示すように、所定の収納空間を有し前面に前記収納空間を外部へ開放し得る開口部を形成した概略箱体状の袖本体３１と、袖本体３１の収納空間内に収納され引出し操作可能な引出し部３２とを具備するものである。袖本体３１の上面部３１ａの四隅近傍箇所に後述するねじ部材Ｂとねじ合わせ可能なねじ孔（図示省略）を上方に開口するように設けている。なお、上面部３１ａの肉厚が薄い場合には、ねじ孔を有する周知のナット（図示省略）を上面部３１ａに一体的に固設しても構わない。引出し部３２は、上方及び脚フレーム２側の一側方を略全開放したものであり、使用者が引出し部３２の上方のみならず、側方からも引出し部３２に収納され得る書類やボックスファイル等の被収納物の出し入れができるように構成している。
【００２４】
横架材４は、図１〜図６に示すように、例えば一枚の鋼板を塑性変形加工したものであり、天板本体１１の長手寸法と略同一または若干小さい長手寸法を有する長尺のものである。具体的には、一対の起立壁４１の間が接続壁たる底壁４２を介して接続され、さらに、一対の起立壁４１の間において底壁４２より起立壁４１と同一方向に起立する一対の中間壁４３を設け、一対の中間壁４３の間が上壁４４を介して接続された側面視略上向きＭ字形状をなすものであり、起立壁４１と中間壁４３の高さ寸法を略同一に設定している。これら起立壁４１及び中間壁４３は、平行するものであり、横架材４を前記脚フレーム２又は袖３に取り付けた状態において、起立壁４１及び中間壁４３が前記上面部２３１ａ又は上面部３１ａに対して垂直をなすように設定されている。起立壁４１及び中間壁４３には、一部を板厚方向に切り開けてなる係合孔４ａを長手方向に沿って間欠的に複数形成している。本実施形態においては、係合孔４ａとして、主として後述する本発明の小架材たる挿入架材８が挿入し得る半円弧状の第１係合孔４ａ１と、オプション部材に設けた係合片が係合し得る略矩形状の第２係合孔４ａ２の２種類を適用している。第１係合孔４ａ１のうち、起立壁４１及び中間壁４３の両端部近傍に設けた第１係合孔４ａ１が、本発明の起立壁４１及び中間壁４３に設けた係合部に相当する。各第２係合孔４ａ２は、長手方向略中央部に開口高さ寸法を大きくなるように設定した部分円弧状の開口部を一体に有している。各係合孔４ａ１、４ａ２は、横架材４の短寸方向（奥行き方向）に連通するように各壁４１、４３の対応する位置にそれぞれ形成されている。また、中間壁４３間を接続する上壁４４の所定箇所には、後述するねじ部材Ｂが通過可能なねじ挿入孔４４ａが形成されている。このねじ挿入孔４４ａの形成位置は、前記第１係合孔４ａ１を形成した位置に略対応している。横架材４の側端部４ｄには、図４に示すように、キャップＣが取付可能に構成されている。
【００２５】
また、本実施形態においては、図２又は図３に示すように、オプション部材として、デスクトップパネル５、幕板６及び整理棚７を適用している。
【００２６】
デスクトップパネル５は、天板１の後縁部側に沿って上方に起立する姿勢で取り付けられるものであり、パネル本体５１と、このパネル本体５１の下端部に設けられ横架材４の第２係合孔４ａ２に係合し得る一対の係合片５２とを有するものである。パネル本体５１は、例えば正面視略矩形状の木製板材の表面にクロスを帖着してなり、押しピン等を挿し込み得るいわゆるピンナップボードと呼ばれるものであり、長手寸法を天板本体１１の長手寸法と略同一に設定している。係合片５２は側面視略Ｌ字形状をなし、係合片５２間の離間距離を所定の第２係合孔４ａ２間の離間距離に略対応させている。また、各係合片５２の先端部を正面視略上向き略コ字形状をなすように設定している。
【００２７】
幕板６は、天板１の後縁部側に沿って下方に垂下する姿勢で取付けられるものであり、幕板本体６１と、この幕板本体６１の上端部に設けられ横架材４の第２係合孔４ａ２に係合し得る一対の係合片６２とを有するものである。各係合片５２の先端部は正面視略下向き略コ字形状をなし、係合片６２間の離間距離を所定の第２係合孔４ａ２間の離間距離に略対応させている。
【００２８】
整理棚７は、天板１の後縁部側の下肢空間に配置されるものであり、棚本体７１と、棚本体７１の上端部に設けられ横架材４の第２係合孔４ａ２に係合し得る一対の係合片７２とを備えたものである。棚本体７１は、例えば略鉛直方向に起立する板状の壁体７１１と、壁体７１１の高さ方向所定位置から略水平方向に突出するように取り付けられる複数の棚７１２とを有するものであり、この棚７１２に書類やボックスファイル等を載置できるように設定している。各係合片７２の先端部は正面視略下向き略コ字形状をなし、係合片７２間の離間距離を所定の第２係合孔４ａ２間の離間距離に略対応させている。
【００２９】
しかして、本実施形態においては、図４〜図５（図５は、図３におけるＰ−Ｐ線断面図である）等に示すように、横架材４と、天板１並びに脚フレーム２及び袖３とを一体的に取り付けて、デスクＴを組み立てるようにしている。
【００３０】
この取付構造は、前記起立壁４１及び中間壁４３に形成した第１係合孔４ａ１に挿入して架け渡した挿入架材８を用いてなり、この挿入架材８と、脚フレーム２若しくは袖３の上面部２３１ａ、３１ａ、又は天板１の下面部１１ａとを互いに相寄る方向に引き寄せる引寄手段９の引寄力により、横架材４と、脚フレーム２若しくは袖３又は天板１とを起立壁４１及び中間壁４３の起立方向への圧縮強度を利用して押圧結合するものである。なお、ここで、「脚フレーム２の上面部２３１ａ」とは、前記コーナー部材２３の突出部２３１の上面部２３１ａを意味し、「袖３の上面部３１ａ」とは、袖本体３１の上面部３１ａを意味し、「天板１の下面部１１ａ」とは、天板本体１１の下面部１１ａを意味する。以後の説明においても、同義で用いる。
【００３１】
挿入架材８は、図４又は図５等に示すように、例えば円柱の一部を縦に平面で切断した正面視略半円弧状をなし、その外周面に円柱面部８１と平面部８２とが形成されるように構成した中実ブロック状のものである。そしてその軸に直交するようにねじ部材Ｂのねじ部Ｂ１が挿通し得るねじ挿通孔８ａを平面部８２の略中央部に開口するように貫通させている。
【００３２】
ねじ部材Ｂは、図４又は図５に示すように、雄ねじであるねじ部Ｂ１と、ねじ部Ｂ１よりも径の大きいねじ頭Ｂ２とを有する周知のものであるため、詳細な説明は省略する。なお、横架材４の上壁４４に形成したねじ挿通孔４４ａの径を、ねじ部Ｂ１及びねじ頭Ｂ２が通過できるように設定するとともに、挿入架材８に形成したねじ挿通孔８ａの径を、ねじ部Ｂ１のみが通過できるように設定している。
【００３３】
引寄手段９は、挿入架材８に形成したねじ挿通孔８ａにねじ部材Ｂを挿通し、脚フレーム２若しくは袖３の上面部２３１ａ、３１ａ、又は天板１の下面部１１ａにそれぞれ設けたねじ孔にねじ部材Ｂのねじ部Ｂ１をねじ合わせることにより、挿入架材８と、脚フレーム２若しくは袖３の上面部２３１ａ、３１ａ、又は天板１の下面部１１ａを前記起立壁４１及び中間壁４３の起立方向に引寄可能に構成したものである。
【００３４】
次に、引寄手段９を用いて横架材４と脚フレーム２とを取り付ける手順を図４及び図５を参照して説明する。
【００３５】
先ず、横架材４の一方の起立壁４１と、前記コーナー部材２３の対向面２３２とを当接または近接させるようにして、コーナー部材３２の突出部２３１の上面部２３１ａに横架材４の一側端部を載置する。その際、横架材４の上壁４４に形成したねじ挿通孔４４ａと、前記上面部２３１ａに設けたねじ孔２３１ｂとを略一致させる。次に、前記挿入架材８を、起立壁４１及び中間壁４３の一側端部近傍に形成した各第１係合孔４ａ１に挿入し、前記対向面２３２の凹部２３２ａに当接または近接させて、ねじ挿通孔８ａを上壁４４のねじ挿通孔４４ａと略一致させる。この場合、前記凹部２３２ａは挿入架材８の位置決めを行う位置決め部として機能する。そして、ねじ部材Ｂを前記上壁４４のねじ挿通孔４４ａ及び挿入架材８のねじ挿通孔８ａの順に上方から挿通して、適宜の工具を用いてねじ部Ｂ１を前記上面部２３１ａのねじ孔２３１ｂに螺合すると、引寄手段９の引寄力により、挿入架材８の下縁部８ｂと第１係合孔４ａ１の下縁部４ａ１１とが当接して、起立壁４１及び中間壁４３の起立方向に締付力が働き、起立壁４１及び中間壁４３の下端部４１ａ、４３ａと突出部２３１の上面部２３１ａとが押圧結合されるとともに、底壁４２が上面部２３１ａに圧接される（図５参照）。このように取り付けた状態において、ねじ部材Ｂのねじ頭Ｂ２は横架材４内に完全に収容され表出しないように設定されている。なお、本実施形態においては、ねじ頭Ｂ２と挿入架材８との間に座金Ｗを介在させている。
【００３６】
横架材４と袖３との取り付け作業も、引寄手段９を用いて上記とほぼ同様の手順により行う。簡単に説明すると、起立壁４１及び中間壁４３の他側端部近傍に形成した各第１係合孔４ａ１に挿入架材８を挿入し、挿入架材８のねじ挿通孔８ａと、袖３の上面部３１ａに設けたねじ孔及び前記上壁４４のねじ挿通孔４４ａとを略一致させる。そして、ねじ部材Ｂをねじ挿通孔４４ａ、８ａの順に上方から挿通して、ねじ部Ｂ１を上面部３１ａのねじ孔に螺合することにより、挿入架材８の下縁部８ｂと第１係合孔４ａ１の下縁部４ａ１１とが当接して、起立壁４１及び中間壁４３の起立方向に締付力が働き、起立壁４１及び中間壁４３の下端部４１ａ、４３ａと上面部３１ａとが押圧結合されるとともに、底壁４２が上面部２３１ａに圧接される。このような手順を経て横架材４を、脚フレーム２及び袖３に一体的に取り付ける。
【００３７】
また、横架材４と、天板１との取り付けも、横架材４と脚フレーム２又は袖３との取り付け作業に準じて行うことができる。簡単に説明すると、先ず、天板１を横架材４の上端部に載置する。その際、天板１のブラケット１２を、各横架材４の内方側に位置する起立壁４１に当接または近接させるとともに、ブラケット１２に形成した各係合孔１２ａと起立壁４１及び中間壁４３に形成した各係合孔４ａ１、４ａ２とを略一致させる。そして前記挿入架材８を各係合孔１２ａ、４ａ１、４ａ２に挿入し、挿入架材８のねじ挿通孔８ａと、天板１の下面部１１ａに設けたねじ孔及び前記上壁４４のねじ挿通孔４４ａとを略一致させる。そして第２係合孔４ａ２の挿入可能な略直方体状の図示しない挿入架材を各係合孔１２ａ、４ａ２に挿入し、挿入架材に設けたねじ挿通孔（図示省略）と、天板１の下面部１１ａに設けたねじ孔及び前記上壁４４のねじ挿通孔４４ａとを略一致させる。そして、ねじ部材Ｂを下方から挿入架材のねじ挿通孔、上壁のねじ挿通孔４４ａの順に挿通して、適宜の工具を用いてねじ部Ｂ１を前記下面部１１ａのねじ孔に螺合すると、引寄手段９の引寄力により、挿入架材の上縁部と第２係合孔４ａ２の上縁部４ａ２２とが当接して、起立壁４１及び中間壁４３の起立方向に締付力が働き、起立壁４１及び中間壁４３の上端部４１ｂ、４３ｂと天板１の下面部１１ａとが押圧結合されるとともに、上壁４４が下面部１１ａに圧接される。このようにして天板１を横架材４に取り付けた状態においては、図６（図６は、図３のＱ−Ｑ線断面を一部省略して示す図であり、天板１を一点鎖線で示している）に示すように、天板１の下面部１１ａと、起立壁４１及び中間壁４３の上端部４１ｂ、４３ｂとが略当接し、起立壁４１及び中間壁４３の各上端部４１ｂ、４３ｂが各壁４１、４３の起立方向に天板１の荷重を分担して受けるように構成している。
【００３８】
以上の手順を経ることにより、横架材４を利用して、脚フレーム２、袖３及び天板１を一体的に組み付けることができる。
【００３９】
また、必要に応じて、前記デスクトップパネル５、幕板６、整理棚７を横架材４に取り付けることができる。例えばデスクトップパネル５を横架材４に取り付ける場合には、デスクトップパネル５を天板１の後縁部側に位置させ、デスクトップパネル５の一対の係合片５２を、横架材４の第２係合孔４ａ２にそれぞれ略同時に挿入して係わり合わせる。この場合、図６に示すように、係合片５２の下端部５２ａが起立壁４１及び中間壁４３の各係合孔４ａ２の下縁部４ａ２１と当接し、各係合孔４ａ２の下縁部４ａ２１が各壁４１、４３の起立方向にデスクトップパネル５の荷重を分担して受けるように構成している。同様に、前記幕板６や前記整理棚７も各係合片６２又は７２を所定の係合孔４ａ２又は４ａ１に挿入して係わり合わせることにより横架材４に取り付けることができ、各係合孔４ａ２、４ａ１の下縁部４ａ２１、４ａ１１が起立方向に幕板６または整理棚７の荷重を受けるように構成している。なお、各オプション部材５、６、７を横架材４に取り付けた状態において、各オプション部材５、６、７の係合片５２、６２、７２が相互に干渉したり、または同一の係合孔４ａ１又は４ａ２を共用しないように、それぞれの係合片５１間、係合片６２間、係合片７２間の離間距離を適宜設定している。
【００４０】
また、上記取付状態において、図１等に図示するように、横架材４が、横架材４の両側端部４ｄと、脚フレーム２、袖３の外側端部２ｄ、３ｄとを略一致させるようにして脚フレーム２と袖３との間に架け渡されている。
【００４１】
しかして、本実施形態においては、図７等に示すように、横架材４を利用して、デスクＴと前記サイドテーブルＳＴとを連結可能に構成している。
【００４２】
サイドテーブルＳＴは、図７及び図８等に示すように、天板Ｘ１と、天板Ｘ１の両側端部を支持する一対の脚構造体たる脚フレームＸ２と、脚フレームＸ２間に架け渡される本発明の第２横架材たる横架材Ｘ４とを備えたものである。天板Ｘ１、脚フレームＸ２及び横架材Ｘ４は、天板Ｘ１の形状及び横架材Ｘ４の長手寸法が異なる以外は、前記デスクＴの天板１、脚フレーム２及び横架材４とほぼ同様の形状及び構成を有するものである。なお、起立壁４１と中間壁４３との間には、横架材４の長手方向及び上方に開放したスペースが形成され、このスペースの一部が後述する連結部材Ｒを収容し得る収納空間４ｓとして機能する。同様に、起立壁Ｘ４１と中間壁Ｘ４３との間にも、横架材Ｘ４の長手方向及び上方に開放したスペースが形成され、このスペースの一部を、連結部材Ｒを収容し得る収容空間Ｘ４ｓとして機能させている。そして、前記デスクＴと同様に、図示しない引寄手段を用いて、横架材Ｘ４と、天板Ｘ１及び各脚フレームＸ２とを一体的に取り付けて、サイドテーブルＳＴを組み立てるようにしている。この組立状態において、図７等に図示するように、横架材Ｘ４の両側端部Ｘ４ｄが、各脚フレームＸ２の外側端部Ｘ２ｄと略一致するように各脚フレームＸ２間に架け渡されている。
【００４３】
このような構成を有するサイドテーブルＳＴと前記デスクＴとを連結部材Ｒを用いて連結する。
【００４４】
この連結構造は、横架材４の側端部４ｄと横架材Ｘ４の側端部Ｘ４ｄとの間を跨ぐようにして収容空間４ｓ、Ｘ４ｓに配置した連結部材Ｒを用いてなり、連結部材Ｒを各横架材４、Ｘ４に抜脱不能に固定する固定手段Ｋを利用して横架材４と横架材Ｘ４とを一体的に連結するものである。
【００４５】
連結部材Ｒは、図８及〜図１１（図１１は、図１０におけるｖ−ｖ線断面を一部省略して示す図である）に示すように、起立壁４１と中間壁４３との間に形成された前記収容空間４、４ｓに収容可能な厚みを有する概略厚板状のブロック体である。この連結部材Ｒの両側端部近傍には肉厚方向に貫通する取付孔Ｒ１が設けられている。この取付孔Ｒ１は、本発明の連結部材Ｒに形成した係合部に相当するものであり、前記第１係合孔４ａ１と略同形状をなすものである。また、連結部材Ｒは、前記収納空間４ｓ、Ｘ４ｓに配置した状態で、起立壁４１、Ｘ４１及び中間壁４３、Ｘ４３の上端部と連結部材Ｒの上端部とが略一致するようにその高さ寸法が設定されている（図１１参照）。
【００４６】
固定手段Ｋは、起立壁４１、Ｘ４１及び中間壁４３、Ｘ４３に形成した第１係合孔４ａ１、Ｘ４ａ１と、連結部材Ｒに形成した取付孔Ｒ１に、挿入部材８を挿通し、脚フレーム２（Ｘ２）の上面部２３１ａに設けたねじ孔２３１ｂにねじ部材Ｂのねじ部Ｂ１をねじ合わせることにより、連結部材Ｒを横架材４に抜脱不能に固定するように構成したものである。
【００４７】
次に、デスクＴの横架材４とサイドテーブルＳＴの横架材Ｘ４とを連結する手順を図８〜図１１を参照して説明する。先ず、天板１、Ｘ１を取り付けていない状態のデスクＴとサイドテーブルＳＴとを隣接し、横架材４の側端部４ｄと横架材Ｘ４の側端部Ｘ４ｄとを当接または近接させる。次いで横架材４の側端部４ｄと、横架材Ｘ４の側端部Ｘ４ｄとの間を跨ぐようにして各収容空間４ｓ、Ｘ４ｓに連結部材Ｒを配置する。なお、図９等からも明らかなように、本実施形態においては２つの連結部材Ｒを用いており、中間壁４３、Ｘ４３を挟むようして各収容空間４ｓ、Ｘ４ｓに各連結部材Ｒを配置している。そして、各連結部材Ｒの一方の取付孔Ｒ１と前記第１係合孔４ａ１とを略一致させ、前記挿入部材８を第１係合孔４ａ１及び取付孔Ｒ１に挿入し、ねじ部材Ｂを挿入架材８のねじ挿通孔８ａに挿通して、ねじ部材Ｂを脚フレーム２の上面部２３１ａのねじ孔２３１ｂに螺合する。この操作に伴い、起立壁４１及び中間壁４３の下端部４１ａ、４３ａが前記上面部２３１ａに押圧結合される。その際、連結部材Ｒの下端部Ｒａが底壁４２に圧接され、結果として、底壁４２も前記上面部２３１ａに押圧結合される。同様に、各連結部材Ｒの他方の取付孔Ｒ１と前記第１係合孔Ｘ４ａ１とを略一致させ、前記挿入部材８を第１係合孔Ｘ４ａ１及び取付孔Ｒ１に挿入し、ねじ部材Ｂを挿入架材８のねじ挿通孔８ａに挿通して、ねじ部材Ｂを脚フレームＸ２の上面部のねじ孔に螺合する。この操作に伴い、起立壁Ｘ４１及び中間壁Ｘ４３の下端部が脚フレームＸ２の上面部に押圧結合される。その際、連結部材Ｒの下端部Ｒａが横架材Ｘ４の底壁に圧接され、結果として、底壁も前記上面部に押圧結合される。上記手順により、各連結部材Ｒが横架材４、Ｘ４に抜脱不能に取り付けられ、連結部材Ｒを介して横架材４と横架材Ｘ４とを連結することができる。
【００４８】
また、このように横架材４と横架材Ｘ４とを連結した状態で、当接または近接する脚フレーム２又は脚フレームＸ２の取付位置を、横架材４又は横架材Ｘ４の長手方向に沿った所望の取付位置に変更可能に構成している。脚フレーム２又は脚フレームＸ２の何れか一方の取付位置を変更するには、先ず、一方のねじ部材８とねじ孔との螺合状態を解除することにより、脚フレーム２又は脚フレームＸ２を、横架材４又は横架材Ｘ４に固定されないフリーな状態とする。なお、この状態において、第１係合孔４ａ１又は第１係合孔Ｘ４ａ１、及び連結部材Ｒの取付孔Ｒ１に挿入架材８を挿入したままであり、挿入架材８の下面側に図示しない板ナットを配置し、ねじ部材８のねじ部８１を前記板ネットのねじ孔に螺合することにより、連結部材Ｒを、各横架材４、Ｘ４に固定する。そして、フリーな状態となった脚フレーム２又は脚フレームＸ２を、所望の取付位置に位置する第１係合孔４ａ１又は第１係合孔Ｘ４ａ１に略対応するように位置決めし、第１係合孔４ａ１又は第１係合孔Ｘ４ａ１に前記挿入架材８とは別体の挿入架材を挿入して、前述の取付手順と同様の手順を経ることより、脚フレーム２又は脚フレームＸ２を所望の取付位置に取り付けることができる。上記同様の手順により、他方の脚フレーム２又は脚フレームＸ２を所望の取付位置に取り付けることができ、また、脚フレーム２又は脚フレームＸ２を横架材４、Ｘ４から完全に取り外すことも可能である。なお、連結部材Ｒを配置していない横架材４、Ｘ４の側端部４ｄ、Ｘ４ｄには前記キャップＣを取り付けておけば外観を損なうことがない。
【００４９】
このように、本実施形態に係る横架材の連結構造は、横架材４が、横架材４の両側端部４ｄと、脚フレーム２、袖３の外側端部２ｄ、３ｄとを略一致させるようにして脚フレーム２と袖３との間に架け渡され、横架材Ｘ４が、横架材Ｘ４の両側端部Ｘ４ｄと、各脚フレームＸ２の外側端部Ｘ２ｄとを略一致させるようにして脚フレームＸ２間に架け渡されたものであるため、横架材４の側端部４ｄと横架材Ｘ４の側端部Ｘ４ｄとを当接または近接させた状態で、連結部材Ｒを介して横架材４と横架材Ｘ４とを連結することができ、連結作業を比較的容易に行うことが可能となり、良好な連結状態を実現することができる。加えて、各横架材４、Ｘ４が、脚フレーム２と袖３との間、又は一対の脚フレームＸ２間に架け渡されたものであるため、連結した領域に受けた荷重を横架材４、Ｘ４と、脚フレーム２、袖３、脚フレームＸ２とが協働して受けることができ、連結した部位の支持強度をも有効に高めることができる。
【００５０】
また、横架材４と横架材Ｘ４とを連結した状態において、当接または近接する脚フレーム２（袖３）又は脚フレームＸ２の何れか一方又は両方の取付位置を各横架材４、Ｘ４の長手方向に沿った所望の取付位置に変更可能、又は前記脚構造体を取外し可能に構成しているため、下肢空間の広さを適宜設定することができ、下肢空間を使用態様に合わせて有効活用することが可能になる。
【００５１】
また、収容空間４ｓ、Ｘ４ｓに架け渡すように配置した連結部材Ｒと、起立壁４１間、起立壁Ｘ４１間に架け渡した挿入架材８とを係合させることにより連結部材Ｒを各横架材４、Ｘ４に抜脱不能に固定する固定手段Ｋを用いているため、挿入架材８を介して連結部材Ｒを各横架材４、Ｘ４に確実に固定することができるとともに、横架材４と横架材Ｘ４との連結状態を良好なものとすることがきる。加えて、各横架材４、Ｘ４ｄ横架材４の側端部４ｄと横架材Ｘ４の側端部Ｘ４ｄとの間を跨ぐようにして各収容空間４ｓ、Ｘ４ｓに連結部材Ｒを配置しているため、連結状態において、連結部材８を横架材４、Ｘ４内に略隠蔽することができ、外観を損なうことがない。
【００５２】
さらに、前記収容空間４ｓ、Ｘ４ｓが、それぞれ起立壁４３間、起立壁間Ｘ４３間に形成されたスペースを利用したものであるため、別途収容空間を設けるために別途特別な構成を採用する必要がなく、構造の簡素化を有効に図ることができ、コストの削減にも資する。
【００５３】
また、各起立壁４１、Ｘ４１に、挿入架材８が係合可能な係合孔４ａ１、Ｘ４ａ１を設けるとともに、連結部材Ｒに、係合孔４ａ１、Ｘ４ａ１に対応する取付孔Ｒ１を形成し、固定手段Ｋが、係合孔４ａ１又はＸ４ａ１と、取付孔Ｒ１に挿入架材８を係合させることにより連結部材８を各横架材４、Ｘ４に抜脱不能に固定するものであるため、簡素な構造を採用して連結部材Ｒを確実に横架材４、Ｘ４に固定することができ、強固な連結状態を実現することができる。
【００５４】
さらに、各横架材４、Ｘ４が、中間壁４３、Ｘ４３を設け、中間壁４３と起立壁４１との間、中間壁Ｘ４３と起立壁Ｘ４１との間にそれぞれ収容空間４ｓ、Ｘ４ｓを形成したものであり、固定手段Ｋが、中間壁４３、Ｘ４３を貫通して起立壁４１間、起立壁間Ｘ４１間に架け渡した挿入架材８と連結部材Ｒとを係合させることにより連結部材Ｒを各横架材４、Ｘ４に抜脱不能に固定するものであるので、中間壁４３、Ｘ４３を挟んで複数の連結部材Ｒを用いることができ、より強固な連結状態を実現することができる。
【００５５】
また、各横架材４、Ｘ４が、一枚の鋼板を塑性変形加工したものであるため、押し出し成形したものと比較して加工コストを抑えることができる。
【００５６】
なお、本発明は、以上に詳述した実施形態に限られるものではない。
【００５７】
例えば、一対の脚構造体間に架け渡される長尺の横架材に、他の部材に略水平姿勢で設けられたビームを、連結部材を介して前記横架材の長手方向に連結するようにしてもよい。この場合も、前記横架材を、横架材の両側端部と各脚構造体の外側端部とを略一致させるようにして脚構造体間に架け渡しておけば、横架材の側端部と他の部材の側端部とを当接または近接させた状態で、前記連結部材を介して横架材とビームとを連結することができる。「ビーム」とは、他の部材に設けた長尺のものであり、その寸法等は特に限定されない。
【００５８】
例えば、各横架材は、例えば、中間壁を有しないものや、丸パイプ状、角パイプ状のもの等種々の形状をなすものを適用することができる。
【００５９】
また、起立壁及び中間壁の係合孔及び連結部材の取付孔の形状は適宜変更してもよく、係合孔及び取付孔の形状に対応して、挿入架材の形状等を変更すれば使用に際して何ら支障をきたすことはない。
【００６０】
また、天板付き家具として、デスクやサイドテーブル以外のものを適用して勿論構わない。
【００６１】
また、横架材の両側端部と各脚構造体の外側端部とを略一致させるようにして前記横架材の側端部に形成された収容空間等の開口を利用してサイドパネルや幕板等のオプション部材を取り付けるようにしてもよい。このようなものであれば、横架材の開口を有効利用して使用態様に対応させて適宜のオプション部材を取り付けることができ、実用性に富むものとなる。なお、取付態様としては、例えば横架材の開口にオプション部材の一部を挿入するようにしてオプション部材を取り付ける態様や、開口の端面とオプション部材の端面とをあてがうようにし適宜の固定手段を用いてオプション部材を取り付ける態様が挙げられる。
【００６２】
その他、各部の具体的構成についても上記実施形態に限られるものではなく、本発明の趣旨を逸脱しない範囲で種々変形が可能である。
【００６３】
【発明の効果】
以上説明したように本発明によれば、横架材の側端部が脚構造体の外側端部に位置するように設定されているため、横架材の側端部とオプション部材の側端部とを当接または近接させた状態で連結することができ、連結作業を比較的容易に行うことが可能となり、良好な連結状態を実現することができる。
【図面の簡単な説明】
【図１】本発明の一実施形態におけるデスクを一部省略して示す全体斜視図。
【図２】同実施形態におけるデスクの分解斜視図。
【図３】同実施形態における天板を取り付けていない状態のデスクを示す全体斜視図。
【図４】同実施形態におけるデスクの要部を拡大して示す分解斜視図。
【図５】作用説明図。
【図６】作用説明図。
【図７】同実施形態における連結部材を用いてデスクとサイドテーブルとを連結した状態を示す全体斜視図。
【図８】同実施形態における連結部材を用いて連結する前のデスクとサイドテーブルとを示す全体斜視図。
【図９】同実施形態における連結部材を用いて連結するデスク及びサイドテーブルの分解斜視図。
【図１０】同実施形態における連結部材を用いてデスクとサイドテーブルとを連結した状態を示す要部拡大斜視図。
【図１１】作用説明図
【符号の説明】
２、３…脚構造体（脚フレーム、袖）
２ｄ、３ｄ…外側端部
４…第１横架材（横架材）
４１…起立壁
４３…中間壁
４ａ１…係合部（第１係合孔）
４ｄ…側端部
４ｓ…収容空間
８…小架材（挿入架材）
Ｘ２…脚構造体（脚フレーム）
Ｘ２ｄ…外側端部
Ｘ４…第２横架材（横架材）
Ｘ４１…起立壁
Ｘ４３…中間壁
Ｘ４ｄ…側端部
Ｘ４ｓ…収容空間
Ｋ…固定手段
Ｒ…連結部材
Ｒ１…係合部（取付孔）
ＳＴ…天板付き家具（サイドテーブル）
Ｔ…天板付き家具（デスク）
【図１】
2004324671.tif 000003
【図２】
2004324671.tif 000004
【図３】
2004324671.tif 000005
【図４】
2004324671.tif 000006
【図５】
2004324671.tif 000007
【図６】
2004324671.tif 000008
【図７】
2004324671.tif 000009
【図８】
2004324671.tif 000010
【図９】
2004324671.tif 000011
【図１０】
2004324671.tif 000012
【図１１】
2004324671.tif 000013